(57)【要約】【課題】装置のコンパクト化を図り、且つスループット時間を短縮することができる両面読取可能な原稿搬送装置を提供する。【解決手段】上向きに堆積載置された原稿Ｄを上層より繰出す繰出手段４ａを備えた原稿供給トレイ４と、原稿供給トレイ４に連なり原稿の画像を下方より読取る読取部Ｐを経てＵターン状に形成された第１搬送路６と、第１搬送路６の延長上であって上記原稿供給トレイ４の上方に位置する反転部１１と、この反転部１１から上記読取部Ｐの上流側の第１搬送路６に合流する戻し搬送路１６と、上記反転部１１から反転する原稿Ｄを上記読取部Ｐの下流側の第１搬送路６を経て上記反転部１１の上方に位置する原稿排出トレイ１５に搬送すべく形成された第２搬送路１２と、上記読取部Ｐの下流側の第１搬送路６から分岐し上記第２搬送路１２と合流する第３搬送路１３とを備えたことを特徴とする。【選択図】      図１
2005089146.tif 000002
【特許請求の範囲】
【請求項１】
上向きに堆積載置された原稿を上層より繰出す繰出手段を備えた原稿供給トレイと、原稿供給トレイに連なり原稿の画像を下方より読取る読取部を経てＵターン状に形成された第１搬送路と、第１搬送路の延長上であって上記原稿供給トレイの上方に位置する反転部と、この反転部から上記読取部の上流側の第１搬送路に合流する戻し搬送路と、上記反転部から反転する原稿を上記読取部の下流側の第１搬送路を経て上記反転部の上方に位置する原稿排出トレイに搬送すべく形成された第２搬送路と、上記読取部の下流側の第１搬送路から分岐し上記第２搬送路と合流する第３搬送路とを備えたことを特徴とする原稿搬送装置。
【請求項２】
片面原稿の読取時には、原稿供給トレイから繰出された原稿を第１搬送路に沿って搬送し、反転部で反転させた後戻し搬送路を経て第１搬送路に再度導入してその画像を読取部で読取らせ、その後第３搬送路より原稿排出トレイに排出させるよう構成されていることを特徴とする請求項１に記載の原稿搬送装置。
【請求項３】
上記原稿供給トレイが、プラテンガラス上に静止させた原稿を、プラテンガラスの下面を往復移動するスキャナにより読取る平板式読取装置における原稿押圧板の上面に形成されていることを特徴とする請求項１又は２に記載の原稿搬送装置。
【発明の詳細な説明】
【技術分野】
【０００１】
本発明は、原稿を搬送させながら、搬送路の途中に配設された読取部において原稿画像を読取る所謂シートスルータイプの読取装置における原稿搬送装置に関し、更に詳しくは、原稿の両面画像をも読取が可能なように構成された原稿搬送装置に関する。
【背景技術】
【０００２】
上記シートスルータイプの読取装置は、読取部のプラテンガラスの下方に読取スキャナを静止させておき、自動原稿送り装置（ＡＤＦ）により原稿をプラテンガラスに連続給送させながら、その画像を読取るものである。一方、シート固定タイプの読取装置は、ＡＤＦからの原稿を搬送ベルトにより平板式読取装置（フラットベットスキャナ、略称ＦＢＳ）のプラテンガラス上に送り、一旦静止させ、プラテンガラスの下をスキャナを移動させることによって画像の読取を行うものである。シート固定タイプの読取装置は、原稿を１枚ずつプラテンガラス上に送り、静止させた上で読取を行うものであるから、両面原稿の読取を行う場合には、その処理時間がかかり、処理スピードに限界があることから、上記シートスルータイプでの両面読取の試みがなされるようになった。このような、シートスルータイプの原稿読取装置において、両面原稿の読取が可能なように構成された原稿搬送装置の例として、特許文献１に開示されたものが挙げられる。
【特許文献１】特開平１１−１７１３８４号公報
【発明の開示】
【発明が解決しようとする課題】
【０００３】
上記特許文献１に開示された原稿搬送装置において、両面読取を行う場合、原稿トレイに上向きに載置された原稿の最上層部より繰出された原稿は、読取部に給送され、その第２面（第２ページ）の画像が読取られた後、２箇所のスイッチバック部（反転部）で反転され、引続き読取部に上記とは逆方向から給送導入され、その第１面（第１ページ）の画像が読取られ、排出トレイに排出されるよう構成されている。これにより、排出トレイには、読取済の原稿が、下向きページ順に排出堆積されることになる。
【０００４】
しかし、上記原稿搬送装置では、原稿供給トレイ及び排出トレイの上方に、２箇所のスイッチバック部を確保する必要がある為に、嵩高とならざるを得ず、装置を小型化するには困難が予想されるところである。また、第２面の画像を読取った後、第１面の画像を読取るまでに、２箇所のスイッチバック部を経なければならない為に、この間で時間を要し、加えて、排出トレイに読取済原稿の排出が略完了するまでは、次の原稿の繰出・給送ができない為、全体としてのスループット時間が長くなり、読取処理効率の点でも改善の余地があった。
【０００５】
本発明は、上記のような実情に鑑みなされたものであり、装置のコンパクト化を図り、且つスループット時間を短縮することができる両面読取可能な原稿搬送装置を提供するものである。
【課題を解決するための手段】
【０００６】
本発明の原稿搬送装置は、上向きに堆積載置された原稿を上層より繰出す繰出手段を備えた原稿供給トレイと、原稿供給トレイに連なり原稿の画像を下方より読取る読取部を経てＵターン状に形成された第１搬送路と、第１搬送路の延長上であって上記原稿供給トレイの上方に位置する反転部と、この反転部から上記読取部の上流側の第１搬送路に合流する戻し搬送路と、上記反転部から反転する原稿を上記読取部の下流側の第１搬送路を経て上記反転部の上方に位置する原稿排出トレイに搬送すべく形成された第２搬送路と、上記読取部の下流側の第１搬送路から分岐し上記第２搬送路と合流する第３搬送路とを備えたことを特徴とする。
【０００７】
請求項２の発明は、片面原稿の読取時には、原稿供給トレイから繰出された原稿を第１搬送路に沿って搬送し、反転部で反転させた後戻し搬送路を経て第１搬送路に再度導入してその画像を読取部で読取らせ、その後第３搬送路より原稿排出トレイに排出させるよう構成されていることを特徴とする。
【０００８】
請求項３の発明は、上記原稿供給トレイが、プラテンガラス上に静止させた原稿を、プラテンガラスの下面を往復移動するスキャナにより読取る平板式読取装置における原稿押圧板の上面に形成されていることを特徴とする。
【発明の効果】
【０００９】
本発明によれば、原稿は、原稿供給トレイに上向きに堆積載置され、その上層より繰出されるから、ページ順に順次繰出されることになる。そして、両面読取の場合、原稿供給トレイから繰出された原稿は、搬送されながら読取部でその第２面（第２ページ）の画像が読取られ、引続き、Ｕターン状に形成された第１搬送路を搬送され、反転部で一時的に保持される。その後、スイッチバックして戻し搬送路を経て第１搬送路に再度導入され、読取部でその第１面（第１ページ）の画像が読取られ、反転部で再度一時的に保持される。その後、第１搬送路を逆送するようスイッチバックし、第２搬送路を経て排出トレイに排出される。
【００１０】
上記排出トレイは、原稿供給トレイの上方に位置するよう形成されているから、第２搬送路もＵターン状に湾曲されることになり、この結果、排出トレイ上には、読取済原稿が下向きページ順に排出堆積されることになる。従って、両面読取済原稿を改めてページ順を揃える必要がなく、また、原稿供給トレイからはページ順に繰出されるから、原稿ジャム時等における修復上の操作者の戸惑いも生じない。更に、第１面の画像が読取られた後反転部でスイッチバックして排出トレイに排出する際は、読取部前後の第１搬送路はその搬送に関与しないから、次の原稿の繰出・給送が可能であり、読取処理時間の短縮化が図られる。加えて、反転部は１箇所だけ排出トレイとは別個に設けられているから、装置が嵩高くなることがなく、そのコンパクト化にも寄与すると共に、反転部に一時的に滞留する原稿と読取済原稿との混同を生ずる懸念もない。
【発明を実施するための最良の形態】
【００１１】
以下に本発明の最良の実施の形態について図面を参照して説明する。図１はファクシミリ装置や複写機、或いはファクシミリと複写の両機能を備えた所謂複合機における原稿搬送装置１の要部の縦断面図を示すものである。
【実施例】
【００１２】
図例の原稿搬送装置１は、シートものの原稿Ｄを１枚ずつ搬送しながら、その片面若しくは両面の画像を読み取って、それぞれデジタル信号として出力するための自動原稿送り装置（ＡＤＦ）として構成されている。原稿搬送装置１は、後記するＦＢＳ部２における原稿押圧板（プラテンカバー）３の上面側辺部に装備され、該原稿押圧板３の上面には原稿供給トレイ４が略水平状態で設置されている。この原稿供給トレイ４の先側には、原稿繰出用のピックアップローラ（繰出手段）４ａが上下揺動可能に設けられており、このピックアップローラ４ａは、原稿供給トレイ４上に上向きに堆積載置された原稿束Ｄの上面に押当され、その矢視方向への回転により、原稿束から最上層の原稿Ｄが順次繰出される。そして、原稿供給トレイ４上には、原稿の有無を検出する原稿有無センサ４ｂが設けられている。
【００１３】
上記原稿供給トレイ４の原稿供給口４ｃには、上下に分離ローラ５及びリタードローラ５ａが対設され、夫々が矢視方向に回転することにより、原稿繰出ローラ４ａから複数枚の原稿が重送状態で繰出されても、下層部の原稿が押し戻され、上層の１枚だけが分離給送されるようになされている。このような原稿の分離給送手段としては、図例のような分離ローラ５とリタードローラ５ａによるものに限らず、分離ローラとこれに弾接する分離パッドによるものも採用可能であることは言うまでもない。
【００１４】
上記分離ローラ５及びリタードローラ５ａの排出側には、読取ポイント（読取部）Ｐを経てＵターン状に湾曲された第１搬送路６が形成されている。上記読取ポイントＰを挟んで上下流側には、レジストローラ７及び第１搬送ローラ８が設けられ、これらローラ７、８に夫々対設されたプレッシャーローラ７ａ、８ａとにより、原稿をニップして搬送するよう構成されている。レジストローラ７の上流側近傍の第１搬送路６には、レジストセンサ（リードセンサ）７ｂが設置され、該レジストセンサ７ｂは、搬送される原稿を検出し、レジストローラ７のオン・オフ制御或いは後記する読取走査装置の制御の為の検出情報を出力すると共に、原稿サイズ情報をも出力するよう構成される。
【００１５】
上記第１搬送路６の途中には、第２搬送ローラ９及びこれに対接するプレッシャーローラ９ａ、正逆転可能な第３搬送ローラ１０及びこれに対接するプレッシャーローラ１０ａが、その終端には、引込部１１ｃを介し、スイッチバックローラ１１ａ及びプレッシャーローラ１１ｂを備えた反転部１１が、夫々配設されている。上記第２搬送ローラ９の下流側近傍の第１搬送路６には、後記する第３搬送路１３への分岐部が配設され、この分岐部には図のように実線及び破線間で経路切換可能な第１ゲート１３ａが設けられている。また、第３搬送ローラ１０の上流側近傍の第１搬送路６には、上記反転部１１からスイッチバックして逆送する原稿を、後記する第２搬送路１２側に誘導する為の分岐部が配設され、この分岐部には弾性体からなるマイラー１２ａが固着されている。このマイラー１２ａは、第２搬送ローラ９により第１搬送路６を搬送される原稿の推進力により、弾性変形してその通過を許容する一方、第３搬送ローラ１０の逆転により逆送する原稿が第２搬送ローラ９側の第１搬送ローラ６に侵入するのを阻止すると共に第２搬送路１２側に向かうようガイドするものである。
【００１６】
上記第２搬送路１２と第３搬送路１３とはその先側で合流し、排出ローラ１４およびこれに対接するプレッシャーローラ１４ａを経て排出トレイ１５に連なるよう構成されている。排出トレイ１５は、原稿供給トレイ４の上方に位置するよう上向き傾斜状態で設置され、その為、第２搬送路１２は、第１搬送路６との分岐部からＵターン状に湾曲して、第３搬送路１３と合流するよう形成される。
【００１７】
上記第１搬送路６の終端における引込部１１ｃには、後記する戻し搬送路１６と第１搬送路６との分岐部が設けられ、この分岐部には図のように実線及び破線間で経路切換可能な第２ゲート１６ａが設けられている。この第２ゲート１６ａの上流側近傍における第１搬送路６には、スイッチバックセンサ１１ｄが設置され、一方、スイッチバックローラ１１ａは正逆回転可能とされており、第３搬送ローラ１０からスイッチバックローラ１１ａに搬送される原稿の後端が、第３搬送ローラ１０を外れ、その後端を該スイッチバックセンサ１１ｄが検出すると、該後端がスイッチバックローラ１１ａの近傍に到達するまでの予め計測・設定された時間の経過後、スイッチバックローラ１１ａを停止させ、その後逆回転させるべく構成される。
【００１８】
上記戻し搬送路１６は、上記分離ローラ５及びレジストローラ７間で第１搬送路６に合流して、第１搬送路６とによりループ状の搬送路を形成する。この戻し搬送路１６の途中には、第４搬送ローラ１７及びプレッシャーローラ１７ａが配設されている。上記第２ゲート１６ａは、スイッチバックローラ１１ａによりスイッチバックする原稿を、第１搬送路６を逆送させるか、或いは戻し搬送路１６に誘導するかの切替を行うものである。上記第３搬送ローラ１０は、第２ゲート１６ａの切替により第１搬送路６を逆方向に導入された原稿を、その逆回転をして、第２搬送路１２へ誘導すべく機能する。一方、第４搬送ローラ１７は、第２ゲート１６ａの切替により戻し搬送路１６に誘導された原稿を、第１搬送路６との合流部を経てレジストローラ７に向かわせるよう機能する。上記のように構成される原稿搬送装置１は、その左半部がカバー１８で覆われ、このカバー１８は原稿押圧板３に固設されている。
【００１９】
上記読取ポイントＰにはプラテン１９が配置され、原稿がこのプラテン１９上を通過する際、プラテン１９の下部に待機された読取走査装置２０により原稿表面の画情報が逐次読み取られ、上記のようにデジタル信号として出力される。この読取走査装置２０は、蛍光灯或いは冷陰極管からなる光源２０ａと、複数のミラー２０ｂ…と、集光レンズ２０ｃと、ＣＣＤ（電荷結合素子）２０ｄとよりなり、これらがユニット化され、キャリッジ２０ｅ上に搭載されている。光源２０ａからの照射光は、プラテン１９上の読取ポイントＰを通過する原稿により反射され、その後４個のミラー２０ｂ…で反射を繰り返し、集光レンズ２０ｃで集光され、ＣＣＤ２０ｄに入光する（１点鎖線の光路参照）。ＣＣＤ２０ｄでは、原稿の表面上に描かれた画情報が電気信号に変換され、デジタル信号として出力される。
【００２０】
図例の読取走査装置２０は、フラットベッドスキャナ（ＦＢＳ）にも兼用するよう構成されている。即ち、図示を一部省略したが、図１における破断部分の右側にはＦＢＳ部２が連成されている。上記キャリッジ２０ｅは、図例ではＡＤＦ原稿の読取位置に静止された状態を示すが、ＦＢＳ原稿の読取時には、ＦＢＳ部２内に移動し、ＦＢＳ部２内をプラテンガラス２１の下面に沿って往復移動し、この往復移動の間、プラテンガラス２１上に載置された原稿の画情報が、読取走査装置２０によって上記同様に読み取られる。原稿搬送装置１、原稿供給トレイ４及び排出トレイ１５は原稿押圧板３上に形成され、紙面奥側をヒンジ部（不図示）として上下に開閉可能とされている。従って、ＦＢＳ部２にて原稿読み取りを行う際は、この原稿押圧板３を開け、露見したプラテンガラス２１上に原稿を載置することによりなされる。
【００２１】
次に、上記構成の原稿搬送装置１を用いた原稿搬送動作について図を参照して説明する。図２〜図４は片面読取の際の原稿搬送動作を説明する図である。図２において、原稿供給トレイ４上に多数の原稿Ｄが上向きページ順に堆積載置され、操作者の装置操作パネル（不図示）上での片面読取（通常読取）であることのモード設定操作（通常は標準状態であるためモード切替操作が不要であることが多い）により、第１搬送路６における第１ゲート１３ａが第３搬送ローラ１０側に開放（第３搬送路１３側には閉止）される。尚、原稿供給トレイ４上の原稿Ｄは最初の２枚だけを明示し、その他の原稿Ｄについては簡略化して示してある。また、原稿に付された数字１は、１枚目原稿Ｄ１の第１面（表面）を、２はその第２面（裏面）を、また３は２枚目原稿Ｄ２の第１面（表面）を、４はその第２面（裏面）を夫々示す。
【００２２】
操作者により操作スイッチがオンされると、ピックアップローラ４ａから、スイッチバックローラ１１ａに至る第１搬送路６に沿った一連の搬送系が作動する。これに伴い、分離ローラ５及びリタードローラ５ａにより下層原稿の重送が阻止された状態で、原稿供給トレイ４上の最上層の原稿Ｄ１が繰出・給送され、レジストローラ７によってレジストされる。読取ポイントＰでは、第２面が下向きになった状態で搬送されるが、その読取がなされず通過する。原稿Ｄ１は、引続き、第１搬送ローラ８及び第２搬送ローラ９で搬送され、マイラー１２ａを押し上げるように弾性変形させ、第３搬送ローラ１０に至り、第３搬送ローラ１０及びスイッチバックローラ１１ａの正回転より搬送が継続されて、図３の１点鎖線で示すような第１搬送路６に沿った搬送パスラインを描き、反転部１１に至る。  
【００２３】
斯くして、原稿Ｄ１の後端がスイッチバックセンサ１１ｄにより検出されると、上記所定時間後にスイッチバックローラ１１ａが停止し、図３に示すように、原稿Ｄ１はその後端部がスイッチバックローラ１１ａ及びプレッシャーローラ１１ｂにニップされた状態で一旦停止・保持される。尚、図では反転部１１で保持された原稿Ｄ１を便宜上直状に描いているが、実際にはその先側が自重で原稿供給トレイ４上に垂れ下がるようになることは言うまでもない。このように原稿Ｄ１が反転部１１で一時的に滞留する間、その先側が原稿供給トレイ４上の未読取の原稿Ｄに触れるが、この間は原稿供給トレイ４上の原稿Ｄの繰出しがなされないから、原稿Ｄ１の先側がこれに追従して引っ張られるようなことはない。
【００２４】
その後、図４に示すように、第２ゲート１６ａを戻し搬送路１６側（第３搬送ローラ１０側が閉止）に、第１ゲート１３ａを第３搬送路１３側（第３搬送ローラ１０側が閉止）に、夫々切替えた上で、スイッチバックローラ１１ａが逆転し、第４搬送ローラ１７、レジストローラ７、第１搬送ローラ８、第２搬送ローラ９及び排出ローラ１４が作動する。これに伴い、原稿Ｄ１は、スイッチバックしてその後端側から戻し搬送路１６に誘導され、第４搬送ローラ１７により給送されて第１搬送路６との合流部を経て再度レジストローラ７及びプレッシャーローラ７ａ間に導入される。この時、レジストセンサ７ｂが原稿Ｄ１の先端（スイッチバックする前で言えば後端）を検出し、この検出信号により前記読取走査装置２０（図１参照）が起動し、原稿Ｄ１が第１面を下にして読取部Ｐを通過する間、読取走査装置２０によって第１面の画像が読取られる。
【００２５】
上記のように、画像の読取がなされた原稿Ｄ１は、引続き第１搬送ローラ８、第２搬送ローラ９により搬送され、第１ゲート１３ａから第３搬送路１３に誘導され、排出ローラ１４により排出トレイ１５上に第１面を上にして排出される。その後、後続の原稿Ｄ２も同様にして繰出され、反転部１１で反転された後、その第１面の画像が読取られ、排出トレイ１５上に排出堆積される。この場合、排出トレイ１５上には、各原稿Ｄ１、Ｄ２…の第１面が上になるよう排出堆積されるのでページ順が逆になる。而して、ページ順を揃えた状態で排出を行う場合は、第１ゲート１３ａを第３搬送ローラ１０側に開放し、原稿を再度反転部１１に導き、スイッチバックさせて、第２搬送路１２から排出トレイ１５に排出させるようにする。このように、ページ順を揃えた状態で排出することを優先するか、ページ順が逆になっても処理時間短縮を優先させるかは、操作者の自由意思に基づくものとし、不図示の操作盤上には、操作者により操作可能なこれらのモード切替スイッチを設けるようにすればよい。
【００２６】
次に、両面読取の際の原稿搬送動作について、図２、図３、図５及び図６を参照して説明する。即ち、片面読取の場合と同様、図２に示すように、原稿供給トレイ４上に多数の原稿Ｄが上向きページ順に堆積載置され、操作者の装置操作パネル上での両面読取であることのモード設定操作により、第１搬送路６における第１ゲート１３ａが第３搬送ローラ１０側に開放（第３搬送路１３側には閉止）される。そして、操作者により操作スイッチがオンされると、ピックアップローラ４ａから、スイッチバックローラ１１ａに至る第１搬送路６に沿った一連の搬送系が作動する。
【００２７】
これに伴い、上記同様原稿供給トレイ４上の最上層の原稿Ｄ１が繰出・給送され、レジストローラ７に導入されるが、この時、レジストセンサ７ｂによる原稿Ｄ１の先端検出信号に基づき読取走査装置２０（図１参照）が起動する。原稿Ｄ１は、レジストローラ７によりレジストされ、読取ポイントＰを第２面が下向きになった状態で通過しながら、その画像が読取走査装置２０によって逐次読取られる。このように第２面の画像が読取られた原稿Ｄ１は、その後も給送され、片面読取の場合と同様、図３の１点鎖線で示すような第１搬送路６に沿った搬送パスラインを描き、反転部１１に至る。
【００２８】
そして、原稿Ｄ１の後端がスイッチバックセンサ１１ｄにより検出されると、上記同様所定時間後にスイッチバックローラ１１ａが停止し、図３に示すように、原稿Ｄ１はその後端部がスイッチバックローラ１１ａ及びプレッシャーローラ１１ｂにニップされた状態で一旦停止する。その後、図５に示すように、第２ゲート１６ａを戻し搬送路１６側（第３搬送ローラ１０側が閉止…破線位置）に、第１ゲート１３ａを第３搬送ローラ１０側（第３搬送路１３側が閉止）に、夫々切替えた上で、スイッチバックローラ１１ａが逆転（破線矢視）し、第４搬送ローラ１７、レジストローラ７、第１搬送ローラ８、第２搬送ローラ９及び第３搬送ローラ１０が作動する。
【００２９】
これに伴い、原稿Ｄ１は、スイッチバックしてその後端側から戻し搬送路１６に誘導され、第４搬送ローラ１７により給送されて第１搬送路６との合流部を経て再度レジストローラ７及びプレッシャーローラ７ａ間に導入される。この時、レジストセンサ７ｂが原稿Ｄ１の先端（スイッチバックする前で言えば後端）を検出し、この検出信号により前記読取走査装置２０（図１参照）が再起動し、原稿Ｄ１が第１面を下にして読取部Ｐを通過する間、読取走査装置２０によって第１面の画像が読取られる。
【００３０】
上記のように、両面画像の読取がなされた原稿Ｄ１は、引続き第１搬送ローラ８、第２搬送ローラ９により搬送され、第１ゲート１３ａから第３ローラ１０側に誘導され、第１搬送路６に沿ってＵターン状に搬送される。原稿Ｄ１の後端が上記第２ゲート１６ａを通過すると（適宜センサ等により検出する）、第２ゲート１６ａが第３搬送ローラ１０側（戻し搬送路１６側が閉止…実線位置）に切替わると共にスイッチバックローラ１１ａが正転（実線矢視）に切替わり、原稿Ｄ１が再度反転部１１に至る。そして、原稿Ｄ１の後端がスイッチバックセンサ１１ｄにより検出されると、上記同様所定時間後にスイッチバックローラ１１ａが停止し、図５に示すように、原稿Ｄ１はその後端部がスイッチバックローラ１１ａ及びプレッシャーローラ１１ｂにニップされた状態で一旦停止する。この場合、図３の場合とは異なり原稿Ｄ１の第１面が上向きの状態に保持される。
【００３１】
その後、スイッチバックローラ１１ａ及び第３搬送ローラ１０が逆転し、反転部１１に保持された原稿Ｄ１が第１搬送路６を逆送するようスイッチバックし、マイラー１２ａにガイドされて第２搬送路１２に誘導される。この第２搬送路１２では、原稿Ｄ１は図６の１点差線で示す搬送パスを描きＵターン状にガイド搬送され、排出ローラ１４により排出トレイ１５上に第１面を下にして排出される。従って、両面読取が完了した後続原稿も、この上に第１面を下にして排出され、ページ順に堆積されることになるから、全ての原稿の読取処理後のページ揃えが不要とされる。また、原稿搬送の途中に原稿ジャムが発生し、ページを指定して一部原稿を原稿供給トレイ４に戻すよう指示があった場合に、その指示ページ数と実際のページ数との整合性が図られるから、操作者の戸惑いも生じない。しかも、両面排出トレイ１８が反転部１４の上方に位置するから、読取済原稿とスイッチバックのため反転部に一時的に滞留する原稿との混同も生じない。
【００３２】
そして、この原稿Ｄ１の排出トレイ１５上への排出動作と並行して、ピックアップローラ４ａから第２搬送ローラ９に至る一連の搬送系が作動し、後続原稿Ｄ２の繰出・給送及びその第２面の画像読取が開始し、引続き上記同様の搬送・画像読取が繰返し実施される。このように、先行原稿の排出トレイ１５への排出動作と並行して、後続原稿の繰出・給送を開始させることができるから、全体としてのスループット時間が短縮され、両面読取作業の効率化が図られる。尚、この場合、第１搬送路６上で先行原稿と後続原稿との交錯を防止する為、原稿の長さに応じて、ピックアップローラ４ａ等の搬送系の作動開始タイミングや、第３搬送ローラ１０の逆転から正転への切替タイミングが適宜設定制御されるべきことは言うまでもない。また、両面読取後、反転部１１で反転させた上で排出トレイ１５に排出させるようにしているので、排出トレイ１５上には両面読取済原稿がページ順に排出堆積されるが、ページ順が逆であっても、処理時間（スループット時間）を短縮させることを優先する場合は、両面読取済原稿を、第１ゲート１３ａから第３搬送路１３に誘導して、そのまま排出トレイ１５に排出するよう構成することも可能である。
【００３３】
上記構成においては、原稿供給トレイ４と排出トレイ１５とが上下関係で位置することになるが、排出トレイ１５は上向き傾斜状態で設けられているから、原稿供給トレイ４との空間がより大きく確保され、原稿供給トレイ４への原稿のセット性が一層向上する。
【００３４】
更に、上記原稿供給トレイ４が、ＦＢＳ部２における原稿押圧板３の上面に略水平状態で形成されているので、原稿押圧板３を覆うカバー自体の上面を原稿供給トレイ４とすることができ、装置のコンパクト化が図られると共に、原稿供給トレイ４への原稿のセット性が向上する。
【図面の簡単な説明】
【００３５】
【図１】原稿搬送装置と走査装置の要部を示す縦断面図である。
【図２】片面若しくは両面読取の場合の原稿搬送動作を説明する図であり、原稿がセットされ搬送スタンバイの状態を示す図である。
【図３】同１枚目原稿の搬送の状態を示す図である。
【図４】同２枚目原稿の搬送の状態を示す図である。
【図５】両面読取の場合の原稿搬送動作を説明する図であり、２回目の読取を行う際の原稿搬送動作を示す図である。
【図６】同両面読取完了後の排出動作を示す図である。
【符号の説明】
【００３６】
１      原稿搬送装置
２      ＦＢＳ部（平板式読取装置）
３      原稿押圧板
４      原稿供給トレイ
４ａ    ピックアップローラ（繰出手段）
６      第１搬送路
１１    反転部
１２    第２搬送路
１３    第３搬送路
１５    排出トレイ
１６    戻し搬送路
２０    読取走査装置（スキャナ）
２１    プラテンガラス
Ｐ      読取ポイント（読取部）
Ｄ      原稿
【図１】
2005089146.tif 000003
【図２】
2005089146.tif 000004
【図３】
2005089146.tif 000005
【図４】
2005089146.tif 000006
【図５】
2005089146.tif 000007
【図６】
2005089146.tif 000008